(57)【要約】      （修正有）【課題】安定器等の電源ユニット交換のための最小限の工事を行うだけで、既存の直管型蛍光灯用照明器具にそのまま使用可能な直管型ＬＥＤランプ及び直管型ＬＥＤランプ用給電装置を提供する。【解決手段】直管部の両端に嵌合する口金の一方の給電側口金３０の照明器具側寄りには直管軸線方向外向きに開口するコネクタ接続孔を有する直管型ＬＥＤランプ１であって、口金はそれぞれ一対のピンを備え、給電側口金はピンを配設した端面に対して直管軸線方向内向きに後退した段差面にコネクタ接続孔を設ける。コネクタ接続孔に接続する給電コネクタは、リード線を配設したコネクタ本体５１と、リード線が貫通して接続後のコネクタ本体に被さる形で嵌合することでコネクタ接続孔とコネクタ本体の接続部を被覆可能なパッキング５２とから成る。【選択図】図３
0003183416.tif 000002
【実用新案登録請求の範囲】
【請求項１】
直管型蛍光灯用照明器具のソケットに取り付けて使用可能な直管型ＬＥＤランプであって、直管部の両端に嵌合する口金の一方の給電側口金の照明器具側寄りには直管軸線方向外向きに開口するコネクタ接続孔を有することを特徴とする直管型ＬＥＤランプ。
【請求項２】
前記口金は、それぞれ一対のピンを備え、前記給電側口金は、前記ピンを配設した端面に対して直管軸線方向内向きに後退した段差面に前記コネクタ接続孔を設けたことを特徴とする請求項１に記載の直管型ＬＥＤランプ。
【請求項３】
請求項１又は請求項２に記載の直管型ＬＥＤランプのコネクタ接続孔に挿入して給電可能な給電コネクタと、前記直管型蛍光灯用照明器具が有する電源ユニットを代替して前記直管型ＬＥＤランプに給電可能な電源ユニットと、前記電源ユニットから前記給電コネクタに配電可能なリード線とから成ることを特徴とする直管型ＬＥＤランプ用給電装置。
【請求項４】
前記給電コネクタは、前記リード線を配設したコネクタ本体と、前記リード線が貫通して接続後のコネクタ本体に被さる形で嵌合することでコネクタ接続孔とコネクタ本体の接続部を被覆可能なパッキングとから成ることを特徴とする請求項３に記載の直管型ＬＥＤランプ用給電装置。
【考案の詳細な説明】
【技術分野】
【０００１】
本考案は、在来の直管型蛍光灯用照明器具の直管型蛍光灯を直管型ＬＥＤランプで代替して使用するための直管型ＬＥＤランプ及び直管型ＬＥＤランプ用給電装置に関するものである。
【背景技術】
【０００２】
長寿命かつ消費電力の小さなＬＥＤランプの普及においては、在来の照明器具のランプをＬＥＤランプで代替することが省電力、省資源ひいてはコスト削減の観点から望ましい。そのため、特に事業所や公共施設で多用されている直管型蛍光灯用照明器具において、直管型蛍光灯の同サイズの直管型ＬＥＤランプへの交換が進められており、様々な直管型ＬＥＤランプが製造販売されている。
【０００３】
しかし、在来の蛍光灯用照明器具の蛍光灯を単にＬＥＤランプに交換した場合、機器の不適合による作動不良や部品の焼損、場合によっては火災事故の危険性があることが知られている。蛍光灯を用いた照明器具には、大きく分けて点灯管（グロースターター）を用いたグロースタート式、電子点灯管を用いた電子スタート式、点灯管の代わりに始動補助体を用いたラピッドスタート式、インバータ回路により始動するインバータ式等があるが、
特に直管型蛍光灯用の照明器具は、点灯時の高電圧放電の際に電流を安定させる安定器が一般的に照明器具本体側に設置されているため、交換したＬＥＤランプに直接高電圧が掛かると故障や過熱を生じる場合があり、安定器が電力を消費するため省電力効果も減殺される等の問題も指摘されている。
【０００４】
また、長期間使用した蛍光灯用照明器具では安定器や配線等が老朽化している場合が多く、蛍光灯では光のチラつきや点灯不良により安定器等の電源ユニットの不具合が比較的容易に確認できるのに対して、交換したＬＥＤランプではその確認がしずらいという問題もある。
【０００５】
日本照明器具工業会をはじめ業界団体では照明器具に対応したＬＥＤランプの規格の確認のほか、照明器具自体の交換工事を推奨しているが、大量の照明器具を設置している事業所等にとって照明器具の交換工事はコスト負担が大きい。ランプを保持しつつ給電するソケットを含めた照明器具自体は存置して安定器等の電源ユニットや配線のみを交換すればある程度コストの低減は可能だが、ソケットや照明器具内の配線自体が経年劣化していたりＬＥＤランプと規格が適合しない場合も多く、問題の抜本的な解決とならない。
【０００６】
かかる問題に対して、近年では、たとえば図１に示すように、給電にランプ両端の口金に一対づつ設けたピンを使用せず、別途直管型ＬＥＤランプ本体にコネクタ接続孔を設け、電源ユニットとリード線で繋がる給電コネクタを挿入して接続する構造の直管型ＬＥＤランプが提案されている。かかる構造の直管型ＬＥＤランプでは、ピンは給電とは無関係に単にランプをソケットに嵌合保持させるためのみの役割を果たし、安定器等の電源ユニットや配線の交換工事は必要なもののソケットを含む照明器具自体はそのまま使用できるという利点を有する。
【０００７】
しかし、かかる構造の直管型ＬＥＤランプは、口金付近に給電コネクタを設けるために直管の発光部の有効長が減少せざるを得ず、直管内でＬＥＤ素子を配列した基盤を支えるシャーシも複雑化して小型化しずらく必ずしも効率的でない。また、給電コネクタが直管の外装に突出するため掃除や振動によりコネクタが抜け易く、コネクタに接続されたリード線が外部から視認できるため照明器具としての美感も損ねるという問題がある。
【０００８】
一方、特許文献１及び２に記載の照明器具のように、直管型ＬＥＤランプの口金部に給電コネクタやコネクタ接続孔を収容してコネクタカバーで覆う構造の照明器具も提案されている。
【特許文献１】特開２０１２−１８５９５０号公開特許公報
【特許文献２】特開２０１２−１８５９６２号公開特許公報
【０００９】
これらの照明器具は、直管型ＬＥＤランプの保持力に優れ、コネクタ接続部が露出しないため美観上も有利であるが、構造や配線の経路が複雑となるだけでなく、一対のソケットのうち少なくとも給電側の一方は専用部材を用いる必要があるため、既存の照明器具をそのまま使用できず、コストも増加せざるを得ない。
【考案の開示】
【考案が解決しようとする課題】
【００１０】
本考案は、かかる先行技術の問題を解決するべく創作されたものであり、安定器等の電源ユニット交換のための最小限の工事を行うだけで、既存の直管型蛍光灯用照明器具にそのまま使用可能な直管型ＬＥＤランプ及び直管型ＬＥＤランプ用給電装置を提供することを目的とする。
【００１１】
かかる目的を達成するため、請求項１に記載した直管型ＬＥＤランプは、直管型蛍光灯用照明器具のソケットに取り付けて使用可能な直管型ＬＥＤランプであって、直管部の両端に嵌合する口金部の一方の給電側口金部の照明器具側寄りには直管軸線方向外向きに開口するコネクタ接続孔を有することを特徴とする。
【００１２】
直管型ＬＥＤランプの一般的な構造は、断面略円形の円筒状直管の照明器具側には直管の骨組みとなる金属製のシャーシを有し、室内側は樹脂製の透光カバーが嵌め込まれ、シャーシの直管内面側にＬＥＤ素子を連続的に配列した基盤、及びＬＥＤ素子の光を反射・拡散させる反射板を固定し、直管の両端はそれぞれ一対の端子（金属製のピン）を備えた口金を嵌合させて閉鎖している。なお、口金の材質はＬＥＤランプの場合、樹脂製が一般的である。
【００１３】
請求項１に記載した直管型ＬＥＤランプは、口金部の一方の給電側口金に開口した内部に接点を有するコネクタ接続孔を備え、該コネクタ接続孔に電源ユニットからのリード線の先端に取り付けた給電コネクタを挿入接続し直管内の基盤上のＬＥＤ素子に給電する。基盤は給電コネクタから内部コネクタを介して給電されるが、内部コネクタは給電側口金の内部に収容される。ここで、コネクタ接続孔は給電側口金部の照明器具側寄りに直管軸線方向外向きに開口しているため、給電コネクタは直管の軸線方向に沿って内向きに給電側口金部に挿入して接続後、両端の口金を照明器具のソケットに嵌合させて直管型ＬＥＤランプの取付を完了する。このため、取付完了後は、給電コネクタ及びリード線は給電側口金部の照明器具側に隠れて室内側に露出せず、掃除等の場合に人が不用意に給電コネクタに触れて感電したりコネクタが抜けるおそれがない。
【００１４】
また、前述の通り、基盤への配線は給電側口金の内部で完結して直管内には及ばないため、シャーシや基盤の構造を簡素化できるだけでなく、基盤は直管のほぼ全長に渡って配置可能となりＬＥＤ素子を配列し基盤の有効長を最大化することができる。
【００１５】
次に、請求項２に記載した考案は、請求項１に記載の直管型ＬＥＤランプであって、前記口金部がそれぞれ一対のピンを備え、前記給電側口金は、前記ピンを配設した端面に対して直管軸線方向内向きに後退した段差面に前記コネクタ接続孔を設けたことを特徴とする。
【００１６】
ピンは、直管型蛍光灯の場合には給電手段とソケットへの取付手段を兼ねた端子に相当し、その形状やサイズ、口金上への取付位置は該端子と同様とすることで在来の直管型蛍光灯用照明器具のソケットにそのまま取付可能である。ただし、本考案におけるピンは給電手段ではなく、単にソケットへの取付手段としてのみ配設される。本考案の構成では、コネクタ接続孔はピンの配設面に対して直管軸線方向内向きに後退した段差面に設けるため、該段差面とソケットとの間に空間を設けることができる。そのため、直管型ＬＥＤランプを照明器具のソケットに取り付けた際に、コネクタ接続孔に挿入した給電コネクタがソケットと干渉せず、直管型ＬＥＤランプの着脱がスムーズに行える。
【００１７】
次に、請求項３に記載した考案は、直管型ＬＥＤランプ用給電装置であって、請求項１又は請求項２に記載の直管型ＬＥＤランプのコネクタ接続孔に挿入して給電可能な給電コネクタと、前記直管型蛍光灯用照明器具が有する電源ユニットを代替して前記直管型ＬＥＤランプに給電可能な電源ユニットと、前記電源ユニットから前記給電コネクタに配電可能なリード線とから成ることを特徴とする。
【００１８】
前記直管型ＬＥＤランプを在来の直管型蛍光灯用照明器具に適用する場合、前述の通り安定器等から成る電源ユニットや配線の交換工事を行うことが望ましい。既存の電源ユニットは通常照明器具の内部に設置されてソケットへ給電する配線がなされているが、本考案に係る給電装置の取付時には、既存の電源ユニットや配線を撤去して電源ユニットと交換し、給電コネクタを給電側口金が嵌合するソケットの近傍に露出するようにリード線を配線する。
【００１９】
これにより、一対のソケットを含む在来の照明器具の構造部材や照明器具までの屋内配線はすべて存置したまま直管型蛍光灯を直管型ＬＥＤランプへと換装することができるため、最小限のコストで直管型ＬＥＤランプを使用可能となる。なお、照明器具の構造内のスペースに余裕がある場合は、既存の電源ユニットも存置したまま配線のみを撤去して本考案に係る給電装置を設置すれば、工事の手間も最小限とできる。
【００２０】
次に、請求項４に記載した考案は、請求項３に記載の直管型ＬＥＤランプ用給電装置であって、前記給電コネクタは、前記リード線を配設したコネクタ本体と、前記リード線が貫通して接続後のコネクタ本体に被さる形で嵌合することでコネクタ接続孔とコネクタ本体の接続部を被覆可能なパッキングとから成ることを特徴とする。
【００２１】
給電コネクタの接続時には、先にコネクタ本体をコネクタ接続孔に挿入した後にパッキングを被せる。パッキングは柔軟なゴム製又は樹脂製とすることでコネクタ本体に密着し、接続した給電コネクタが容易に抜脱したりコネクタ本体とコネクタ接続孔の隙間に埃等が侵入するのを防ぐため、接触不良や漏電等の危険を低減できる。
【考案の効果】
【００２２】
本考案に係る直管型ＬＥＤランプ及び直管型ＬＥＤランプ用給電装置によれば、老朽化した既存の直管型蛍光灯用照明器具に最小限の工事を施すことでＬＥＤ照明へと容易に転換可能となり、特に事業所や公共施設等、大量の蛍光灯を使用する施設の照明を低コストで省電力化するために有効である。
【００２３】
特に、本考案の直管型ＬＥＤランプは既存の照明器具のソケットをそのままランプの取り付けに使用しつつ、ランプの規格に適合した専用の電源ユニットから給電コネクタを介して直接給電するため、規格不適合によるランプの過熱や焼損などの危険を防止でき、ランプの稼働効率や寿命の向上も図れる。
【００２４】
また、給電コネクタはランプの直管部表面に露出せず照明器具側に隠蔽できるため、掃除等の際に不用意に給電コネクタの接続が緩んだり抜脱するおそれがなく、室内側からの美観も損なわれない。
【００２５】
直管型ＬＥＤランプ本体についても内部構造及びシャーシや口金等の部材を簡素化できるため比較的低コストで製造でき、さらに、直管内の基盤の有効長を最大化できるため
規格サイズ内で効率的に光量を確保できる。
【考案を実施するための最良の形態】
【００２６】
以下、本考案の実施形態について図を用いて詳細に説明する。図２は本考案に係る直管型ＬＥＤランプ１の側面図である。直管部分は断面略円形の円筒状を成し、その照明器具側はアルミニウム製のシャーシ１０、室内側はポリカーボネート製の乳白色又は透明の透光カバー２０から構成し、その両端の開口部をプラスティック製の口金３０、４０によって封鎖して成るが、口金３０は給電側口金である。
【００２７】
図３は本考案に係る直管型ＬＥＤランプ１の部材の分解図であり、図４は直管中央部付近における断面図である。直管内のシャーシ１０の内面には、熱伝導テープ１３介して表面にＬＥＤ素子１１を連続的に配列して配線を設けたポリカーボネート製の板状の基盤１２を取り付け、さらにＬＥＤ素子１１を露出させる貫通孔を設けた反射板１４を取り付けている。基盤１２は、組立時には給電側口金３０の内部に収容される内部主コネクタ３２及び内部副コネクタ３３を介して給電側口金３０に設けたコネクタ接続孔３３（図示せず）と接続される。なお、熱伝導テープ１３は、基盤１２の熱をシャーシ１０に伝導して放散させる目的を有する。給電側口金３０と口金４０はシャーシ１０にネジ止めして直管の両端を封鎖し、端面にはそれぞれ一対のピンＰを設けているが、ピンＰには何らの配線も行わない。
【００２８】
図５は、本考案に係る直管型ＬＥＤランプ１の試作品における給電側口金３０の正面写真であり、図６は、同じく上面写真である。一対のピンＰは既存の照明器具のソケットに取付可能な直管型蛍光灯が有する給電ピンと同じ形状であり、給電側口金３０では端面３１上に突出させている。さらに、給電側口金３０は前記端面３１から直管側方向に奥まった段差を設けた段差面３２を有し、コネクタ接続孔３３は該段差面３２上に開口している。
【００２９】
図７は、本考案に係る直管型ＬＥＤランプ１に適用可能な給電コネクタ５０の拡大写真である。給電コネクタ５０は一対のリード線５３で電源ユニット（図示せず）と接続されたコネクタ本体５１とパッキング５２とから構成される。パッキング５２の素材は弾力性を有するゴム又は軟質プラスティックが好適である。
【００３０】
図８は、給電側口金３０に設けたコネクタ接続孔３３にコネクタ本体５１を挿入した状態を、図９はコネクタ本体５１にパッキング５２を被せて接続を完了した状態を上面から見た写真である。接続部はパッキング５２により保護される。また、接続時の給電コネクタ５０の全長は前記端面３１と段差面３２との間の段差よりも短いため、直管型ＬＥＤランプ１を照明器具に取り付けた際にもソケットと干渉しない。
【００３１】
以上、本考案の実施形態について図面を参照しつつ説明したが、本考案は、必ずしも上述した構成にのみ限定されるものではなく、本考案の目的を達成し、効果を有する範囲内において、適宜変更実施することが可能なものであり、本考案の技術的思想の範囲内に属する限り、それらは本考案の技術的範囲に属する。
【産業上の利用可能性】
【００３２】
本考案に係る直管型ＬＥＤランプ及び直管型ＬＥＤランプ用給電装置は、既存の直管型蛍光灯用照明器具を存置したまま、最小限の工事で安全なＬＥＤ照明へと更新するために利用することを想定したものである。
【図面の簡単な説明】
【００３３】
【図１】既存の直管型ＬＥＤランプの一例を示す模式図
【図２】直管型ＬＥＤランプ１の側面図
【図３】直管型ＬＥＤランプ１の分解図
【図４】直管型ＬＥＤランプ１の断面図
【図５】直管型ＬＥＤランプ１の給電側口金３０の正面写真
【図６】直管型ＬＥＤランプ１の給電側口金３０の上面写真
【図７】直管型ＬＥＤランプ１用給電コネクタ５０の拡大写真
【図８】給電コネクタ５０挿入状態の写真
【図９】給電コネクタ５０接続完了状態の写真
【符号の説明】
【００３４】
１           直管型ＬＥＤランプ
１０       シャーシ
１１       ＬＥＤ素子
１２       基盤
１３       熱伝導テープ
１４       反射板
１５     内部主コネクタ
１６       内部副コネクタ
２０       透光カバー
３０       給電側口金
３１       端面
３２       段差面  
３３       コネクタ接続孔
４０       口金
５０       給電コネクタ
５１       コネクタ本体
５２       パッキング
５３       リード線
Ｐ           ピン
【図１】
0003183416.tif 000003
【図２】
0003183416.tif 000004
【図３】
0003183416.tif 000005
【図４】
0003183416.tif 000006
【図５】
0003183416.tif 000007
【図６】
0003183416.tif 000008
【図７】
0003183416.tif 000009
【図８】
0003183416.tif 000010
【図９】
0003183416.tif 000011